(57)【要約】【課題】弱視力者や年配者のために、電話機のテンキーを見ないでも、簡単に電話を発信できるようにする。【解決手段】電話機には、ダイヤル用のテンキーが印刷されている操作板（タブレット）６がある。操作板（タブレット）６は、指の動きのストロークを静電検出方式により検知する。ジェスチャ登録キー５を押下し、予め利用者が、電話番号に対応するジェスチャを入力して登録しておく。指により操作板６にストロークを描くことでジェスチャを入力する。入力されたジェスチャに対応する電話番号がダイヤルされる。電話発信のほかに保留操作や転送操作も行える。【選択図】図１
2006093901.tif 000002
【特許請求の範囲】
【請求項１】
タブレットにストロークを描くことによりジェスチャを入力するジェスチャ入力手段と、入力されたジェスチャを判定するジェスチャ判定手段と、入力されたジェスチャに対応する電話番号を検索する検索手段と、検索結果を音声や大きいフォントによる画面表示で通知する通知手段と、検索結果の電話番号をダイヤルして発信処理を行う発信手段とを具備することを特徴とする電話機。
【請求項２】
タブレットにストロークを描くことによりジェスチャを入力するジェスチャ入力手段と、入力されたジェスチャを判定するジェスチャ判定手段と、ジェスチャ入力検出から発信操作を検出するか所定時間経過するまでの間は着信拒否状態にする手段と、入力されたジェスチャに対応する電話番号を検索する検索手段と、検索結果を音声や大きいフォントによる画面表示で通知する通知手段と、検索結果の電話番号をダイヤルして発信処理を行う発信手段とを具備することを特徴とするIP電話機。
【請求項３】
タブレットにストロークを描くことによりジェスチャを入力するジェスチャ入力手段と、入力されたジェスチャを判定するジェスチャ判定手段と、入力されたジェスチャに対応する電話番号を検索する検索手段と、検索結果を音声や大きいフォントによる画面表示で通知する通知手段と、空いている外線を捕捉して検索結果の電話番号をダイヤルして発信処理を行う発信手段とを具備することを特徴とするボタン電話機。
【請求項４】
タブレットにストロークを描くことによりジェスチャを入力するジェスチャ入力手段と、入力されたジェスチャを判定するジェスチャ判定手段と、ジェスチャ入力検出に応じて複数の外線のうちの空いている外線を捕捉する外線捕捉手段と、入力されたジェスチャに対応する電話番号を検索する検索手段と、検索結果を音声や大きいフォントによる画面表示で通知する通知手段と、検索結果の電話番号をダイヤルして発信処理を行う発信手段とを具備することを特徴とするボタン電話機。
【発明の詳細な説明】
【技術分野】
【０００１】
本発明は、電話機に関し、特に、ジェスチャによる発信操作を可能にする電話機に関する。
【背景技術】
【０００２】
従来、お年寄りや弱視力者向けの電話機としては、テンキーの「５」のキートップに凸部（ポッチ）を設け、さらにキーサイズを大きして、容易に発信操作ができるようにしたものがある。発信操作を簡単にしたものとしては、専用ワンタッチキーにより、登録された番号を自動ダイヤルするものもある。しかし、電話機によりキーの形状や大きさや配置間隔などがまちまちであり、電話機が変わると操作が分からなくなり、使いづらいという問題がある。ワンタッチキーでは、キーの数だけしか発信先を登録できないため、発信先を多く登録したいという要求に対応できない。そのような問題を解決するために、ポンティングデバイスを使って、簡単に発信コマンドを入力する方法が提案されている。
【０００３】
特許文献１に開示された「通信機能付き情報処理装置」は、電話番号が表示されている領域の全部を選択しなくても、その領域の一部を選択することによって、その電話番号に自動ダイヤルすることができる通信機能付き情報処理装置である。ポインティングデバイスを用いて、特定の操作を意味するジェスチャ電話コマンドを入力する。そのジェスチャ電話コマンドにより、表示画面内の電話番号を表示している領域の一部が選択されると、その電話番号が抽出され、その番号に自動的に電話をかけることができる。
【０００４】
また、電話機以外にも、ジェスチャコマンドで操作する装置がある。特許文献２に開示された「情報処理装置」は、手書き編集の特性を活用して操作性を向上させるものである。タブレットと入力ペンから得られた軌跡座標を軌跡座標抽出部により抽出する。軌跡描画部でこの軌跡座標に基づいて軌跡イメージを生成しディスプレイに供給する。また、ジェスチャコマンド判定部により、抽出された軌跡座標をジェスチャコマンドテーブルに格納されているジェスチャコマンドと照合して、軌跡座標の描く線画に対応したジェスチャコマンドを認識する。認識結果としてのジェスチャコマンドと、軌跡座標に基づいて認識した編集の対象となる文字または文字列の位置情報とをテキスト編集部に与える。この構成においては、手書き入力の線画が描かれて、そのジェスチャコマンドを認識すると、画面に手書き認識用入力ボードを表示させる等の諸機能を備えている。
【特許文献１】特開平10-247988号公報
【特許文献２】特開平06-149467号公報
【発明の開示】
【発明が解決しようとする課題】
【０００５】
しかし、従来の電話機では、表示画面に基づきダイヤル発信するので、弱視力者には利用しにくいという問題がある。本発明の目的は、上記従来の問題を解決して、弱視力者でも、電話機のテンキーを見ないで簡単に電話を発信できるようにすることである。
【課題を解決するための手段】
【０００６】
上記の課題を解決するために、本発明では、電話機を、タブレットにストロークを描くことによりジェスチャを入力するジェスチャ入力手段と、入力されたジェスチャを判定するジェスチャ判定手段と、入力されたジェスチャに対応する電話番号を検索する検索手段と、検索結果を音声や大きいフォントによる画面表示で通知する通知手段と、検索結果の電話番号をダイヤルして発信処理を行う発信手段とを具備する構成とした。
【発明の効果】
【０００７】
上記のように構成したことにより、電話機のテンキーを見ないでも、簡単に電話を発信できる。
【発明を実施するための最良の形態】
【０００８】
以下、本発明を実施するための最良の形態について、図１〜図９を参照しながら詳細に説明する。
【実施例１】
【０００９】
本発明の実施例１は、一般の単独アナログ電話機において、利用者がハンドセットを取り上げて、タブレットに指でストロークを描くことによりジェスチャを入力すると、入力されたジェスチャに対応する電話番号を検索し、検索結果を弱視力者に分かるように、音声や大きいフォントによる画面表示で通知し、外線を捕捉して検索結果の電話番号をダイヤルして発信処理を行う電話機である。
【００１０】
図１は、本発明の実施例１における電話機の構成を示す概念図（ａ）と、ジェスチャの例（ｂ）を示す模式図である。図１において、ハンドセット１は、送受話器である。スピーカ２は、利用者に音声メッセージや相手音声を伝える手段である。LCD３は、利用者に文字でメッセージを伝える液晶表示装置である。モード切替キー４は、ジェスチャ入力モードをテンキー入力モードに切り替えるためのボタンである。ジェスチャ登録キー５は、ジェスチャを登録する際に使用するボタンである。ジェスチャ操作板６は、ジェスチャを入力するためのタブレットであり、テンキーも兼ねている。単に操作板またはタブレットともいう。
【００１１】
図２と図３は、ジェスチャの登録手順を示す流れ図である。図４は、発信操作手順を示す流れ図である。図５は、保留操作手順を示す流れ図である。図６は、モード識別手順を示す流れ図である。
【００１２】
上記のように構成された本発明の実施例１における電話機の動作を説明する。最初に、図１を参照しながら、電話機の機能の概略を説明する。電話機には、テンキーが印刷されている操作板（タブレット）６がある。タブレット６は、静電検出方式により指の動き（ストローク）を検知する。テンキーで電話番号を入力しなくても、タブレット６を指でなぞってジェスチャを入力することで、電話発信ができる。操作板６が大きいため、弱視者でも形が把握しやすい。また、設定を通常入力に切り替えることにより、通常のテンキーによる操作が可能となる。テンキーで入力操作を行う場合は、モード切替キー４を押下してテンキー入力モードに変更してから、操作板６に印刷されているテンキーに触れてダイヤルする。誤動作防止のために、オンフック時は、操作板６に触れても動作しないよう、誤動作防止機能を備えている。これらの点以外の機能と構成は、一般の電話機と同じであるので、詳しい説明は省略する。
【００１３】
次に、図２と図３を参照しながら、ジェスチャの登録方法を説明する。Step1からStep6において、ジェスチャ登録キー５を押下し、利用者がジェスチャを入力する。Step7からStep13において、工事者は、タブレット６をテンキーモードに切り替えて、電話番号を登録する。Step14からStep22で、再び、ジェスチャ入力モードに切り替わり、同じジェスチャと入力して確認する。ジェスチャとしては、図１（ｂ）に示すように、例えば、上から下へなぞる等のできるだけ簡単なジェスチャを登録する。ジェスチャの数は、メモリ容量が許すまで登録できる。複数のジェスチャを登録する場合は、他のジェスチャと競合しないよう、類似のジェスチャを登録しないように注意する必要がある。ジェスチャの形が覚えにくい場合は、数字をジェスチャとして登録しておけば、番号一桁で電話番号を管理できる。同一ジェスチャでも、操作場面が異なれば別のコマンドであると設定できる。
【００１４】
次に、図４を参照しながら、電話発信の操作方法を説明する。Step31で、利用者がハンドセット１を取り上げる（オフフック）と、電話機のLCDに「ジェスチャを入力してください」と表示される。Step32からStep34において、利用者が、登録したジェスチャをタブレット６に描くと、電話機はこれを検出して、登録されているジェスチャと照合する。Step35で、近似するジェスチャがある場合、Step37からStep40において、音声で案内をして所定時間経つと、登録している電話番号をダイヤルする。該当のジェスチャが無い場合、Step36において、スピーカ２からブザー音を出して注意を促す。Step41で、ダイヤル先に接続されると通話ができる。Step42からStep47において、通話中に、保留ジェスチャを入力して保留にすることもできる。ジェスチャの認識方法は、周知の方法を利用すればよいので、詳しい説明は省略する。必要ならば、特許文献１、２などを参照されたい。利用者は、番号を全て覚える必要はなく、ジェスチャの形を覚え、ジェスチャを入力するという簡単な操作をするだけで自動ダイヤルすることができる。
【００１５】
次に、図５を参照しながら、保留操作を説明する。通話中、予め登録されている保留ジェスチャを入力することにより、保留操作を行うことができる。Step48で、保留中は、LCDに「保留中」と表示され、スピーカ２より保留音が流れて、保留中であることを利用者に示す。Step49からStep51において、保留状態にした後、転送先の内線番号（一桁）を操作板６に描くことにより、相手を呼び出す。相手との通話になり、転送する旨を伝え、オンフックすると転送される。Step52からStep56において、転送操作中に再度同じ保留操作をすることにより、保留を解除できる。
【００１６】
次に、図６を参照しながら、モード切替方法を説明する。モード切替キー４は、入力モードをテンキー入力モードに変更するボタンである。入力モードは、常にジェスチャ入力モードになっており、Step61からStep63において、オフフックするとLCD３にジェスチャ入力するように表示される。ジェスチャ入力モードでは、ハンドセット１を取り上げてジェスチャを入力することで発信できる。テンキーで入力操作を行う場合は、モード切替キー４を押下してテンキー入力モードに変更してから、操作板６に印刷されているテンキーに触れてダイヤルする。誤動作防止のために、オンフック時は、操作板６に触れても動作しないようになっている。オンフック状態でもジェスチャ入力を可能とするためには、オンフック状態でモード切替キー４を押してからジェスチャ入力をするように設定する必要がある。
【００１７】
上記のように、本発明の実施例１では、一般の単独アナログ電話機を、利用者がハンドセットを取り上げて、タブレットに指でストロークを描くことによりジェスチャを入力すると、入力されたジェスチャに対応する電話番号を検索し、検索結果を弱視力者に分かるように、音声や大きいフォントによる画面表示で通知し、外線を捕捉して検索結果の電話番号をダイヤルして発信処理を行う構成としたので、電話機のテンキーを見ないでも、簡単に電話を発信できる。
【実施例２】
【００１８】
本発明の実施例２は、IP電話機において、利用者がハンドセットを取り上げて、タブレットに指でストロークを描くことによりジェスチャを入力すると、発信操作を検出するか所定時間経過するまでの間、着信拒否状態にして、入力されたジェスチャに対応する電話番号を検索し、検索結果を弱視力者に分かるように、音声や大きいフォントによる画面表示で通知し、外線を捕捉して検索結果の電話番号をダイヤルして発信処理を行うIP電話機である。
【００１９】
図７は、本発明の実施例２におけるIP電話機の発信の操作手順を示す流れ図である。本発明の実施例２におけるIP電話機の構成は、IP電話機である点と、ジェスチャ入力検出により着信拒否状態にする点が、実施例１と異なり、その他の点は実施例１と同じである。これらの点以外の機能と構成は、一般のIP電話機と同じであるので、詳しい説明は省略する。
【００２０】
IP電話機がオンフックで待機状態にあるとき、利用者がハンドセット１を取り上げて、タブレット６に指でストロークを描くことによりジェスチャを入力する。ジェスチャ入力以外の操作の場合は、それに応じた処理を行う。テンキーで入力操作を行う場合は、モード切替キー４を押下してテンキー入力モードに変更してから、操作板６に印刷されているテンキーに触れてダイヤルする。
【００２１】
図７のStep71からStep72において、ジェスチャ入力を検出すると、発信操作を検出するか所定時間経過するまでの間、着信拒否状態にする。Step73からStep75において、入力されたジェスチャに対応する電話番号を検索する。対応するジェスチャが検索できなければ、スピーカ２からブザー音を出して注意を促し、ジェスチャ入力待状態に戻る。Step76からStep78において、ジェスチャに対応する電話番号が検索できれば、検索結果を弱視力者に分かるように、音声や大きいフォントによる画面表示で利用者に通知する。利用者の発信操作があれば、外線を捕捉して発信処理を開始する。一定時間待っても発信操作がなければ、ジェスチャ入力待状態に戻る。発信操作は、フッキングや他のジェスチャなど、適当な方法で行うことができる。
【００２２】
上記のように、本発明の実施例２では、IP電話機を、利用者がハンドセットを取り上げて、タブレットに指でストロークを描くことによりジェスチャを入力すると、発信操作を検出するか所定時間経過するまでの間、着信拒否状態にして、入力されたジェスチャに対応する電話番号を検索し、検索結果を弱視力者に分かるように、音声や大きいフォントによる画面表示で通知し、外線を捕捉して検索結果の電話番号をダイヤルして発信処理を行う構成としたので、電話機のテンキーを見ないでも、簡単に電話を発信できる。
【実施例３】
【００２３】
本発明の実施例３は、利用者がハンドセットを取り上げて、タブレットに指でストロークを描くことによりジェスチャを入力すると、入力されたジェスチャに対応する電話番号を検索し、検索結果を弱視力者に分かるように、音声や大きいフォントによる画面表示で通知し、複数の外線のうちの空いている外線を捕捉して検索結果の電話番号をダイヤルして発信処理を行うボタン電話機である。
【００２４】
図８は、本発明の実施例３におけるボタン電話機の発信操作手順を示す流れ図である。本発明の実施例３におけるボタン電話機の構成は、ボタン電話機である点と、複数の外線のうちの空いている外線を捕捉して発信処理を開始する点が、実施例１と異なり、その他の点は実施例１と同じである。これらの点以外の機能と構成は、一般のボタン電話機と同じであるので、詳しい説明は省略する。
【００２５】
ボタン電話機がオンフックで待機状態にあるとき、利用者がハンドセット１を取り上げて、タブレット６に指でストロークを描くことによりジェスチャを入力する。ジェスチャ入力があったことを、ボタン電話機の主装置に通知する。入力されたジェスチャに対応する短縮電話番号を検索し、その結果をボタン電話機の主装置に通知する。主装置では、短縮電話番号から相手先電話番号を検索し、ボタン電話機に通知する。ボタン電話機は、検索結果の電話番号を弱視力者に分かるように、音声や大きいフォントによる画面表示で利用者に通知する。利用者が発信操作を行うと、ボタン電話機は主装置に通知する。主装置は、複数の外線のうちの空いている外線を捕捉して発信処理を開始する。主装置は、通話情報をボタン電話機に通知する。ボタン電話機は、通話情報をLCD３に表示する。
【００２６】
上記のように、本発明の実施例３では、ボタン電話機を、利用者がハンドセットを取り上げて、タブレットに指でストロークを描くことによりジェスチャを入力すると、入力されたジェスチャに対応する電話番号を検索し、検索結果を弱視力者に分かるように、音声や大きいフォントによる画面表示で通知し、複数の外線のうちの空いている外線を捕捉して検索結果の電話番号をダイヤルして発信処理を行う構成としたので、電話機のテンキーを見ないでも、簡単に電話を発信できる。
【実施例４】
【００２７】
本発明の実施例４は、利用者がハンドセットを取り上げて、タブレットに指でストロークを描くことによりジェスチャを入力すると、複数の外線のうちの空いている外線を捕捉して、入力されたジェスチャに対応する電話番号を検索し、検索結果を弱視力者に分かるように、音声や大きいフォントによる画面表示で通知し、検索結果の電話番号をダイヤルして発信処理を行うボタン電話機である。
【００２８】
図９は、本発明の実施例４におけるボタン電話機の発信操作手順を示す流れ図である。本発明の実施例４におけるボタン電話機の構成は、ボタン電話機である点と、複数の外線のうちの空いている外線を捕捉して発信処理を開始する点が、実施例１と異なり、その他の点は実施例１と同じである。これらの点以外の機能と構成は、一般のボタン電話機と同じであるので、詳しい説明は省略する。
【００２９】
ボタン電話機がオンフックで待機状態にあるとき、利用者がハンドセット１を取り上げて、タブレット６に指でストロークを描くことによりジェスチャを入力する。ジェスチャ入力があったことを、ボタン電話機の主装置に通知する。主装置は、空いている外線を捕捉する。外線を仮捕捉（実外線は捕捉しないが、他の子機から外線捕捉できないように使用状態にする）にして、発信処理で外線捕捉してもよい。主装置は、外線捕捉の情報をボタン電話機に通知する。空外線がなければエラー通知を行う。
【００３０】
ボタン電話機は、入力されたジェスチャに対応する短縮電話番号を検索し、その結果をボタン電話機の主装置に通知する。主装置では、短縮電話番号から相手先電話番号を検索し、ボタン電話機に通知する。ボタン電話機は、検索結果の電話番号を弱視力者に分かるように、音声や大きいフォントによる画面表示で利用者に通知する。利用者が発信操作を行うと、ボタン電話機は主装置に通知する。主装置は、発信処理を開始し、通話情報をボタン電話機に通知する。ボタン電話機は、通話情報をLCD３に表示する。
【００３１】
上記のように、本発明の実施例４では、ボタン電話機を、利用者がハンドセットを取り上げて、タブレットに指でストロークを描くことによりジェスチャを入力すると、複数の外線のうちの空いている外線を捕捉して、入力されたジェスチャに対応する電話番号を検索し、検索結果を弱視力者に分かるように、音声や大きいフォントによる画面表示で通知し、検索結果の電話番号をダイヤルして発信処理を行う構成としたので、電話機のテンキーを見ないでも、簡単に電話を発信できる。
【産業上の利用可能性】
【００３２】
本発明の電話機は、ジェスチャによる発信が可能であり、弱視力者や年寄りでも容易に発信できる電話機として最適である。
【図面の簡単な説明】
【００３３】
【図１】本発明の実施例１における電話機の構成を示す概念図（ａ）と、ジェスチャの例を示す模式図（ｂ）である。
【図２】本発明の実施例１における電話機でのジェスチャの登録手順を示す流れ図である。
【図３】本発明の実施例１における電話機でのジェスチャの登録手順の続きを示す流れ図である。
【図４】本発明の実施例１における電話機での発信操作手順を示す流れ図である。
【図５】本発明の実施例１における電話機での保留操作手順を示す流れ図である。
【図６】本発明の実施例１における電話機でのモード識別手順を示す流れ図である。
【図７】本発明の実施例２におけるIP電話機での発信操作手順を示す流れ図である。
【図８】本発明の実施例３におけるボタン電話機での発信操作手順を示す流れ図である。
【図９】本発明の実施例４におけるボタン電話機での発信操作手順を示す流れ図である。
【符号の説明】
【００３４】
１・・・ハンドセット、２・・・スピーカ、３・・・LCD、４・・・モード切替キー、５・・・ジェスチャ登録キー、６・・・ジェスチャ操作板（タブレット）。
【図１】
2006093901.tif 000003
【図２】
2006093901.tif 000004
【図３】
2006093901.tif 000005
【図４】
2006093901.tif 000006
【図５】
2006093901.tif 000007
【図６】
2006093901.tif 000008
【図７】
2006093901.tif 000009
【図８】
2006093901.tif 000010
【図９】
2006093901.tif 000011